(57)【要約】      （修正有）【課題】歩留まり及び商品性を向上させることができ、製造コストを低減することができる鍵盤楽器の白鍵を提供する。【解決手段】鍵盤楽器の白鍵１は、木製の鍵本体２と、鍵本体２に接着された合成樹脂製の上カバー３と、鍵本体２の前端面２ｂに接着された合成樹脂製の前カバー４と、を備える。上カバー３は、前端部から下方に突出する突起を有しており、突起及び前カバー４の上端部は、互いの傾斜面を介して当接している。【選択図】図２
2014066816.tif 000002
【特許請求の範囲】
【請求項１】
木製の鍵本体と、
当該鍵本体の上面の前部を覆うように、当該鍵本体に取り付けられた上カバーと、
前記鍵本体の前端面を覆うように当該鍵本体に取り付けられ、上端部が前記上カバーに当接する前カバーと、
を備えることを特徴とする鍵盤楽器の白鍵。
【請求項２】
前記上カバーは、前端部から下方に突出する突起を有しており、
当該突起及び前記前カバーの上端部には、斜め後下がりの傾斜面がそれぞれ形成されており、
前記突起及び前記前カバーの前記上端部は、互いの前記傾斜面を介して当接していることを特徴とする請求項１に記載の鍵盤楽器の白鍵。
【請求項３】
前記上カバーの前記突起は、前記鍵本体の前記前端面に当接する当接面を有していることを特徴とする請求項２に記載の鍵盤楽器の白鍵。
【請求項４】
前記上カバーは、合成樹脂で構成されていることを特徴とする請求項２又は３に記載の鍵盤楽器の白鍵。
【請求項５】
前記上カバー及び前記前カバーはいずれも、前記鍵本体に接着されていることを特徴とする請求項１ないし４のいずれかに記載の鍵盤楽器の白鍵。
【発明の詳細な説明】
【技術分野】
【０００１】
本発明は、ピアノなどの鍵盤楽器において用いられる鍵盤楽器の白鍵に関する。
【背景技術】
【０００２】
従来、鍵盤楽器の白鍵として、特許文献１に記載されたものが知られている。この白鍵５０は、図６（ａ）に示すように、木製の鍵本体５１と、この鍵本体５１に接着された合成樹脂製の鍵カバー５２などを備えている。この鍵カバー５２は、鍵本体５１の上面の前端から中央部付近までの部分を覆う上カバー部５２ａと、鍵本体５１の前端面を覆う前カバー部５２ｂとを有している。この前カバー部５２ｂは、上カバー部５２ａの下面にリブ状に一体に形成され、上カバー部５２ａから直角に下方に延びている。それにより、上カバー部５２ａ及び前カバー部５２ｂは、断面Ｌ字形に形成されている。
【先行技術文献】
【特許文献】
【０００３】
【特許文献１】特開２００９−１４５７３１号公報
【発明の概要】
【発明が解決しようとする課題】
【０００４】
上記特許文献１の白鍵５０を製造する場合、一般に、以下のような製造手法が用いられる。まず、１オクターブ分の鍵本体５１を一体化した部材に相当する木製部材（以下「鍵本体部材」という）と、１オクターブ分の鍵カバー５２を一体化した部材に相当する断面Ｌ字形の合成樹脂部材（以下「鍵カバー部材」という）とを製作する。そして、圧締装置と所定の接着剤によって鍵カバー部材を鍵本体部材に接着した後、切削加工することによって、１オクターブ分の白鍵５０が製造される。その際、合成樹脂製の鍵カバー部材を、例えば一般的な射出成形法で製作した場合、前カバー部５２ｂが上カバー部５２ａにリブ状に一体に形成される構造であるので、射出成形品が冷却されるときに、図６（ｂ）に示すように、ひけ（ひけマーク）５２ｃが両カバー部５２ａ，５２ｂの一体部分に生じたり、図６（ｃ），（ｄ）に示すように、前カバー部５２ｂの反りが生じたりすることがある。また、図示しないが、前カバー部５２ｂが垂直軸線回りの方向に反りを生じたり、射出成型用の金型において、前カバー部５２ｂの先端部を構成する部分にまで成形樹脂が届かない充填不足状態、すなわちショートを生じたりするおそれもある。このようなひけ、反り又はショートを生じた場合には、歩留まり及び商品性が低下し、製造コストの上昇を招いてしまう。
【０００５】
また、鍵カバー部材が断面Ｌ字形に形成されているので、鍵カバー部材を鍵本体部材に接着する際、圧締装置によって、鍵カバー部材全体に均一に圧力をかけにくく、接着不良を生じやすい。その場合にも、歩留まり及び商品性が低下し、製造コストの上昇を招いてしまう。さらに、同じ理由により、接着用の圧締装置の構造が複雑かつ大型化してしまうことで、製造コストがさらに上昇してしまう。
【０００６】
本発明は、上記課題を解決するためになされたもので、歩留まり及び商品性を向上させることができ、製造コストを低減することができる鍵盤楽器の白鍵を提供することを目的とする。
【課題を解決するための手段】
【０００７】
上記目的を達成するために、請求項１に係る鍵盤楽器の白鍵は、木製の鍵本体と、鍵本体の上面の前部を覆うように、鍵本体に取り付けられた上カバーと、鍵本体の前端面を覆うように鍵本体に取り付けられ、上端部が上カバーに当接する前カバーと、を備えることを特徴とする。
【０００８】
この鍵盤楽器の白鍵によれば、上カバー及び前カバーという２つの部材が鍵本体に取り付けられる構造となっている。そのため、例えば、上カバー及び前カバーを合成樹脂製とし、１オクターブ分に相当する上カバーを一体化した部材（以下「上カバー部材」という）と、１オクターブ分に相当する前カバーを一体化した部材（以下「前カバー部材」という）とを射出成形法によって製造したとしても、上カバー部及び前カバー部が一体構造の特許文献１の白鍵と異なり、ひけ、反り及びショートを生じることがない。それにより、歩留まり及び商品性を向上させることができ、製造コストを低減することができる。また、例えば、上カバー部材や前カバー部材を射出成形法で製造する場合、使用する金型の形状を簡略化することができ、その分、製造コストをさらに削減することができる。さらに、上カバー及び前カバーを互いに異なる材質で製造することができ、その分、商品性を向上させることができる（なお、本明細書における「木製」は、むく材や木製合板材などの木材製であることに限らず、パーティクルボードやＭＤＦなどの成型材製であることを含む）。
【０００９】
請求項２に係る発明は、請求項１に記載の鍵盤楽器の白鍵において、上カバーは、前端部から下方に突出する突起を有しており、突起及び前カバーの上端部には、斜め後下がりの傾斜面がそれぞれ形成されており、突起及び前カバーの上端部は、互いの傾斜面を介して当接していることを特徴とする。
【００１０】
この鍵盤楽器の白鍵によれば、上カバーの前端部から下方に突出する突起と、前カバーの上端部とに、斜め後下がりの傾斜面がそれぞれ形成されており、両者が互いの傾斜面を介して当接しているので、その傾斜面の最上位の縁を上カバーの下面と一致させることによって、両者が当接するラインを目立たないようにすることができる。これに加えて、鍵本体が２つのカバーの隙間から見えるのを回避することができる。その結果、見栄えを良くすることができ、商品性をさらに向上させることができる。
【００１１】
請求項３に係る発明は、請求項２に記載の鍵盤楽器の白鍵において、上カバーの突起は、鍵本体の前端面に当接する当接面を有していることを特徴とする。
【００１２】
この鍵盤楽器の白鍵によれば、上カバーの突起が、鍵本体の前端面に当接する当接面を有しているので、前述した上カバー部材を、１オクターブ分の鍵本体を一体化した木製部材（以下「鍵本体部材」という）に取り付ける際、この突起の当接面を鍵本体部材の前端面に当接させるだけで、上カバー部材を鍵本体部材に対して容易に位置決めすることができる。それにより、取付作業を容易に行うことができ、商品性をより一層、向上させることができる。
【００１３】
請求項４に係る発明は、請求項２又は３に記載の鍵盤楽器の白鍵において、上カバーは、合成樹脂で構成されていることを特徴とする。
【００１４】
この鍵盤楽器の白鍵によれば、上カバーが合成樹脂で構成されている。この場合、上カバーの突起は、鍵本体の前端面全体をカバーする必要がないので、そのサイズを特許文献１の前カバー部よりも極めて小さく設定することができる。それにより、突起を有する上カバーを、ひけ、反り及びショートを生じることなく、射出成形法などによって製造することができる。その結果、商品性をさらに向上させることができる。
【００１５】
請求項５に係る発明は、請求項１ないし４のいずれかに記載の鍵盤楽器の白鍵において、上カバー及び前カバーはいずれも、鍵本体に接着されていることを特徴とする。
【００１６】
この鍵盤楽器の白鍵によれば、上カバー及び前カバーという２つの部材がいずれも、鍵本体に接着されているので、例えば、接着用の圧締装置を用いて、これらの２つの部材を鍵本体部材に接着するときに、特許文献１のものと比べて、圧力を上カバー部材及び前カバー部材に対してより均一にかけることができ、両者を、接着不良を生じることなく、鍵本体部材に適切に接着することができるとともに、接着用の圧締装置の構造を単純化かつ小型化することができる。その結果、製造コストをさらに削減することができる。
【図面の簡単な説明】
【００１７】
【図１】本発明の一実施形態に係る鍵盤楽器の白鍵の構成を示す斜視図である。
【図２】白鍵の前側部分の分解斜視図である。
【図３】白鍵の前側部分の側面図である。
【図４】上カバー及び前カバーを示す側面図である。
【図５】上カバー及び前カバーを示す斜視図である。
【図６】特許文献１の白鍵における（ａ）鍵本体及び鍵カバーと、（ｂ）ひけを生じた鍵カバーと、（ｃ），（ｄ）反りを生じた鍵カバーとをそれぞれ示す側断面図である。
【発明を実施するための形態】
【００１８】
以下、図面を参照しながら、本発明の一実施形態に係る鍵盤楽器の白鍵について説明する。本実施形態の白鍵は、鍵盤楽器としてのアコースティックピアノ（図示せず）に適用されたものである。図１，２に示すように、白鍵１は、鍵本体２と、これに取り付けられた上カバー３及び前カバー４などで構成されている。
【００１９】
鍵本体２は、木製（例えばスプルス製）の角柱状のものであり、その上面２ａの前端から中央付近までの部分は平面状になっている。また、鍵本体２の前端面２ｂは、平らな矩形面になっており、これらの前端面２ｂと上面２ａは、互いに直交するように構成されている。
【００２０】
上カバー３は、射出成形法によって製造された薄板状のものであり、吸湿性を有する合成樹脂（例えば、無機ウィスカーを酢酸セルロース樹脂に分散複合化させたもの）で構成されている。上カバー３は、図３〜５に示すように、薄板状の基部３ａと、この基部３ａの先端部から下方に突出する突起３ｂとを有している。
【００２１】
この突起３ｂは、断面三角形で、上カバー３の左右端部間に延びており、その前面が傾斜面３ｃになっている。この傾斜面３ｃは、基部３ｂの下面に対して４５゜の角度で斜め後下がりに形成されている。また、突起３ｂの背面３ｄは、基部３ｂの下面に対して直角になるように形成されている。上カバー３は、基部３ａの下面が鍵本体２の上面２ａに隙間なく面接触し、かつ突起３ｂの背面３ｄが鍵本体２の前端面２ｂに隙間なく面接触した状態で、鍵本体２に接着されている。
【００２２】
また、前カバー４は、上カバー３と同じ厚さの、射出成形法によって製造された薄板状のものであり、上カバー３と異なる材質の合成樹脂（例えばアクリル）で構成されている。前カバー４の上端部には、傾斜面４ａが形成されており、この傾斜面４ａは、前カバー４の前面に対して４５゜の角度で斜め後下がりに形成されている。前カバー４は、その傾斜面４ａが上カバー３の傾斜面３ａに隙間なく面接触し、かつ背面が鍵本体２の前端面２ｂに隙間なく面接触した状態で、鍵本体２に接着されている。
【００２３】
この白鍵１は、以下に述べる製造方法によって製造される。なお、以下の説明において、製造工程に用いる装置及び製造中の部材に関してはいずれも図示を省略する。まず、射出成形法により、１オクターブ分の上カバー３を一体化した板状の部材（以下「上カバー部材」という）と、１オクターブ分の前カバー４を一体化した板状の部材（以下「前カバー部材」という）とをそれぞれ製作する。さらに、１オクターブ分の鍵本体２に相当する木製部材（以下「鍵本体部材」という）を製造する。
【００２４】
次いで、圧締装置を用いて、上カバー部材を鍵本体部材の上面に接着する。その際、上カバー部材は、その下面の突起３ｂの背面を鍵本体部材の前端面に当接させることによって、鍵本体部材に対して位置決めされる。その後、圧締装置を用いて、前カバー部材を鍵本体部材の前端面に接着する。そして、上カバー部材及び前カバー部材を鍵本体部材に接着したものを、切削加工することによって、１オクターブ分の白鍵１が製造される。
【００２５】
以上のように構成された本実施形態の白鍵１によれば、上述したように、上カバー部材及び前カバー部材は、射出成形法によって別個に製作されるので、上カバー部及び前カバー部が一体構造の特許文献１の白鍵と異なり、製作後の上カバー３及び前カバー４において、ひけ、反り及びショートを生じることがない。特に、上カバー３の場合、その突起３ｂは、鍵本体２の前端面２ｂ全体をカバーする必要がないので、そのサイズを特許文献１の前カバー部よりも極めて小さく設定することができる。それにより、突起３ｂを有する上カバー３を、ひけ、反り及びショートを生じることなく、射出成形法などによって製造することができる。以上により、歩留まり及び商品性を向上させることができ、製造コストを低減することができる。
【００２６】
また、上カバー部材及び前カバー部材はいずれも、板状の単純な構造のものであるので、特許文献１のような断面Ｌ字形の鍵カバーを作成する場合と比べて、使用する金型の形状を簡略化することができる。さらに、上カバー部材を鍵本体部材に接着する際、圧締装置によって、板状の上カバー部材を鍵本体部材の上方からのみ押圧するだけでよいので、上カバー部材全体に均一の圧力をかけることができる。これと同様に、前カバー部材を鍵本体部材に接着する際、圧締装置によって、板状の前カバー部材を鍵本体部材の前方からのみ押圧するだけでよいので、前カバー部材全体に均一の圧力をかけることができる。それにより、上カバー部材及び前カバー部材を、接着不良を生じることなく、鍵本体部材に適切に接着することができるとともに、接着用の圧締装置の構造を単純化かつ小型化することができる。その結果、製造コストをさらに削減することができる。
【００２７】
さらに、上カバー部材を鍵本体部材に接着する際、上カバー部材を、その下面の突起３ｂの背面を鍵本体部材の前端面に当接させることによって、鍵本体部材に対して位置決めすることができる。それにより、取付作業を容易に行うことができ、商品性をより一層、向上させることができる。また、前カバー４は、その上端部の傾斜面の最上位の縁が上カバー３の下面と一致し、かつ傾斜面４ａが上カバー３の突起３ｂの傾斜面３ｃに面接触した状態で、鍵本体２に取り付けられているので、前カバー４が上カバー３に当接するラインを目立たないようにすることができ、鍵本体２が２つのカバー３，４の隙間から見えるのを回避することができる。以上により、見栄えを良くすることができ、商品性をさらに向上させることができる。
【００２８】
なお、実施形態は、本発明の白鍵を鍵盤楽器としてのアコースティックピアノに適用した例であるが、本発明の白鍵が適用される鍵盤楽器はこれに限らず、電子ピアノや電子オルガンなどの白鍵を有するものであればよい。
【００２９】
また、実施形態は、合成樹脂製の上カバー３を用いた例であるが、本発明の上カバーはこれに限らず、鍵本体の上面の前部を覆うように鍵本体に取り付けられるものであればよい。例えば、上カバーとして、象牙製のものやセラミック製のものを用いてもよく、象牙製の上カバーを用いる場合には、上カバーを切削加工によって製作すればよい。
【００３０】
さらに、実施形態は、合成樹脂製の前カバー４を用いた例であるが、本発明の前カバーはこれに限らず、鍵本体の前端面を覆うように鍵本体に取り付けられるものであればよい。例えば、前カバーとして、象牙製のものやセラミック製のものを用いてもよく、象牙製の前カバーを用いる場合には、切削加工によって製作すればよい。
【００３１】
一方、実施形態は、上カバー３及び前カバー４を異なる材質で構成した例であるが、上カバー３及び前カバー４を同じ材質で構成してもよい。
【００３２】
また、実施形態は、上カバー３の傾斜面３ｃと前カバー４の傾斜面４ａをいずれも４５゜に設定した例であるが、これらの傾斜面の角度を４５゜以外の角度に設定してもよい。その場合、上カバー３及び前カバー４を鍵本体２に接着したときに、２つの傾斜面３ｃ，４ａが互いに隙間なく面接触するように構成すればよい。
【符号の説明】
【００３３】
１  白鍵
２  鍵本体
２ａ  上面
２ｂ  前端面
３  上カバー
３ｂ  突起
３ｃ  傾斜面
３ｄ  背面（当接面）
４  前カバー
４ａ  傾斜面
【図１】
2014066816.tif 000003
【図２】
2014066816.tif 000004
【図３】
2014066816.tif 000005
【図４】
2014066816.tif 000006
【図５】
2014066816.tif 000007
【図６】
2014066816.tif 000008